(57)【要約】      （修正有）【課題】アダプタに装着された光学レンズの種類を検出可能な光学レンズ検出構造及びレンズヤップを取り付けたままで飾りリングの着脱を可能とする構造及びこれらを備えた撮像装置を提供する。【解決手段】ワイドコンバージョンレンズ１３を取り付けるためのアダプタ１２と、アダプタ１２を回転させることによってこれを装着可能なデジタルカメラとを備えた光学レンズ検出構造であって、アダプタ１２に設けられた凸部とデジタルカメラのマウント部に設けられた凸部とを有し、両凸部はワイドコンバージョンレンズ１３がアダプタ１２に取り付けられた状態では取り付け回転角度内において常時接触すると共に、更に両凸部の接触を検出する検出手段を有し、検出手段の検出結果に基づいてワイドコンバージョンレンズ１３がアダプタ１２に装着されたことを検知する。【選択図】図２
2008175897.tif 000002
【特許請求の範囲】
【請求項１】
光学レンズを取り付けるためのアダプタと、該アダプタを回転させることによってこれを装着可能な撮影装置とを備えた光学レンズ検出構造であって、
前記光学レンズが前記アダプタに取り付けられた状態では、前記アダプタに設けられたアダプタ凸部と取り付け回転角度内において常時接触する凸部と、
前記アダプタ凸部と前記凸部との接触を検出する検出手段とを有し、
前記検出手段の検出結果に基づいて、前記所定の光学レンズが前記アダプタに装着されたことを検知することを特徴とする光学レンズ検出構造。
【請求項２】
前記光学レンズが前記アダプタに取り付けられていない状態では、前記凸部は前記アダプタ凸部とは、前記取り付け回転角度内において非接触であることを特徴とする請求項１記載の光学レンズ検出構造。
【請求項３】
前記アダプタ凸部のストローク長を検出する手段を備え、２種類以上の光学レンズを識別可能であることを特徴とする請求項１又は２記載の光学レンズ検出構造。
【請求項４】
前記アダプタをロックする機構を備えることを特徴とする請求項１から３のいずれか１項記載の光学レンズ検出構造。
【請求項５】
前記アダプタ凸部が、モールド成形で形成されたことを特徴とする請求項１から４の何れか１項記載の光学レンズ検出構造。
【請求項６】
前記凸部が、モールド成形で形成されたことを特徴とする請求項１から５のいずれか１項記載の光学レンズ検出構造。
【請求項７】
前記凸部を隠蔽する飾り部材を有することを特徴とする請求項１から６のいずれか１項記載の光学レンズ検出構造。
【請求項８】
請求項１から７のいずれか１項記載の光学レンズ検出構造を備えた撮像装置。
【請求項９】
撮影レンズと撮像素子とを内蔵し回転させることによって撮像装置本体に着脱可能なレンズユニットと、前記レンズユニットの前面に着脱可能に設置されたリング状部材と、前記撮影レンズのレンズ面を保護するためのレンズキャップとを有するリング状部材及びレンズキャップの着脱構造であって、
前記リング状部材の内径面に溝が形成されたことを特徴とする着脱構造。
【請求項１０】
前記リング状部材が回転止めを備えることを特徴とする請求項９記載の着脱構造。
【請求項１１】
前記リング状部材は、二つ以上の部品が組み合わされて形成されていることを特徴とする請求項９又は１０記載の着脱構造。
【請求項１２】
前記リング状部材と前記レンズキャップとが組み付いた状態で、前記レンズユニットを撮像装置本体から取り外し可能であることを特徴とする請求項９から１１のいずれか１項記載の着脱構造。
【請求項１３】
前記リング状部材と前記レンズキャップとが組み付いた状態で、前記レンズユニットを回転させて前記撮像装置本体へ取り付け可能であることを特徴とする請求項９から１２のいずれか１項記載の着脱構造。
【請求項１４】
請求項９から１３のいずれか１項記載の着脱構造を備えた撮像装置。
【発明の詳細な説明】
【技術分野】
【０００１】
本発明は、光学レンズを取り付けるためのアダプタを回転させることによって取り付け可能な撮影装置に関する。
【背景技術】
【０００２】
一眼レフカメラなどのように口径の大きなレンズを使用するカメラでは、レンズの鏡筒にアクセサリ（フィルタやコンバージョンレンズなど）を装着することが可能である。しかし、レンズの鏡筒にこれらのアクセサリを直接取り付けることのできないカメラ、例えば、レンズの口径が小さいレンズシャッタカメラや、レンズをカメラボディから出没させる沈胴式レンズのカメラでは、カメラボディに対してアダプタを装着可能とし、装着したアダプタを利用してアクセサリを取り付ける構成が取られている。
【０００３】
このカメラでは、レンズの口径が小さいためレンズ鏡筒の前端部に直接アクセサリを取り付けることはできない。このため、特許文献１のようにカメラボディの前面にレンズの周囲に沿ってバヨネット構造のマウント部を設けておき、このマウント部を利用して筒状のアダプタを装着可能としている。
【０００４】
このマウント部はアクセサリを取り付けないときには円環状をした化粧リングが装着されて覆い隠される。アクセサリを取り付けるときには化粧リングを取り外し、代わりに円筒状をしたアダプタを装着する。このアダプタの前端部には、フィルタやテレ（望遠）あるいはワイド（広角）のコンバージョンレンズを交換して取り付けられるようになっている。これにより、撮影した画像に対してフィルタ効果を得たり、ワイドやテレでの撮影が可能となる。
【０００５】
また、カメラボディの前面に設けられたマウント部を利用してアクセサリ用のアダプタが装着可能で、カメラボディに設けられた装置のうち装着されたアダプタによって光路が遮られることにより正常動作が阻害される装置を含むカメラであって、アダプタが装着されたことを検出するアダプタ検出手段と、アダプタ検出手段がアダプタの装着を検出したときに装置の設定を変更する制御手段とを備えたカメラが特許文献２に開示されている。
【０００６】
特許文献２において、アダプタ検出手段は、マウント部に設けられ、アダプタが装着されたときに切替動作される検知スイッチを備えた構成である。また、マウント部にはそれを覆い隠す化粧リングが装着可能であり、検知スイッチは化粧リングが装着されたときにはオフであり、アダプタが装着されたときにオンされる。
【０００７】
また、アクセサリを装置本体に対して回転させることで装置アクセサリが装着されるマウントを有する撮影装置において、マウントから突出して装置アクセサリのマウントからの抜けを阻止する突出位置と、マウントから退避して装置本体内に収納される退避位置との間で移動可能なロック部材と、ロック部材を突出位置の方向へ付勢する付勢部材と、ロック部材に当接し、使用者操作によってロック部材を付勢部材の付勢力に抗して退避位置へ移動させるロック解除部材とを有することにより、機構の簡略化、組み込み性の向上、部品点数の低減を図った撮影装置が特許文献３に開示されている。
【特許文献１】特開２０００−３３０１７９号公報
【特許文献２】特開２００５−３１６２２７号公報
【特許文献３】特開２００４−２７２００３号公報
【発明の開示】
【発明が解決しようとする課題】
【０００８】
しかし、特許文献１に開示される発明では、アダプタに取り付けるレンズの種類を検出することができないため、撮影された画像に対して同じ処理をすることとなり、高画質／高品位な画像を撮影することができない。
【０００９】
特許文献２に開示される発明では、アダプタの装着を検出することは可能であるが、光学レンズの種類を検出することはできない。
【００１０】
特許文献３に開示される発明では、飾りリングにレンズキャップを取り付ける構造がなく、リングを取り外す際に光学レンズを傷つける恐れがあり、操作性が良くない。
【００１１】
本発明は係る問題に鑑みてなされたものであり、アダプタに装着された光学レンズの種類を検出可能な光学レンズ検出構造及びレンズヤップを取り付けたままで飾りリングの着脱を可能とする構造及びこれらを備えた撮像装置を提供することを目的とする。
【課題を解決するための手段】
【００１２】
上記目的を達成するため、本発明は、第１の態様として、光学レンズを取り付けるためのアダプタと、該アダプタを回転させることによってこれを装着可能な撮影装置とを備えた光学レンズ検出構造であって、光学レンズがアダプタに取り付けられた状態では、アダプタに設けられたアダプタ凸部と取り付け回転角度内において常時接触する凸部と、アダプタ凸部と凸部との接触を検出する検出手段とを有し、検出手段の検出結果に基づいて、所定の光学レンズがアダプタに装着されたことを検知することを特徴とする光学レンズ検出構造を提供するものである。
【００１３】
本発明の第１の態様においては、光学レンズがアダプタに取り付けられていない状態では、凸部はアダプタ凸部とは、取り付け回転角度内において非接触であることが好ましい。これにより、凸部に回転方向の摩擦力しか作用しないため、検出部の耐久性が向上する。また、誤って所定のレンズ以外のレンズが検出されることが無くなる。
【００１４】
本発明の第１の態様の何れの構成においても、アダプタ凸部のストローク長を検出する手段を備え、２種類以上の光学レンズを識別可能であることが好ましい。また、アダプタをロックする機構を備えることが好ましい。これにより、アダプタの位置ずれを防止できる。また、アダプタ凸部が、モールド成形で形成されることが好ましい。また、凸部が、モールド成形で形成されることが好ましい。モールド成型することにより、低コストで製造でき、またプラスチックを材料とできるため設計自由度が大きくなる。また、凸部を隠蔽する飾り部材を有することが好ましい。これにより、外観上の美観を損ねることが無くなる。
【００１５】
また、上記目的を達成するため、本発明は、第２の態様として、本発明の第１の態様の上記のいずれかの構成に係る光学レンズ検出構造を備えた撮像装置を提供するものである。
【００１６】
また、上記目的を達成するため、本発明は、第３の態様として、撮影レンズと撮像素子とを内蔵し回転させることによって撮像装置本体に着脱可能なレンズユニットと、レンズユニットの前面に着脱可能に設置されたリング状部材と、撮影レンズのレンズ面を保護するためのレンズキャップとを有するリング状部材及びレンズキャップの着脱構造であって、リング状部材の内径面に溝が形成されたことを特徴とする着脱構造を提供するものである。これにより、リングを外す際に、不用意にレンズに触れてしまうことを防止できる。
【００１７】
本発明の第３の態様においては、リング状部材が回転止めを備えることが好ましい。これにより、レンズ又はレンズキャップのどちらを保持しても着脱可能となる。
【００１８】
本発明の第３の態様のいずれの構成においても、リング状部材は、二つ以上の部品が組み合わされて形成されていることが好ましい。これにより、加工性の向上と部品品質の向上とを両立させることができる。また、リング状部材とレンズキャップとが組み付いた状態で、レンズユニットを撮像装置本体から取り外し可能であることが好ましい。また、リング状部材とレンズキャップとが組み付いた状態で、レンズユニットを回転させて撮像装置本体へ取り付け可能であることが好ましい。これにより、リングを本体に装着する際に、不用意にレンズに触れてしまうことを防止できる。
【００１９】
また、上記目的を達成するため、本発明は、第４の態様として、本発明の第３の態様の上記のいずれかの構成に係る着脱構造を備えた撮像装置を提供するものである。
【発明の効果】
【００２０】
本発明によれば、アダプタに装着された光学レンズの種類を検出可能な光学レンズ検出構造及びレンズヤップを取り付けたままで飾りリングの着脱を可能とする構造及びこれらを備えた撮像装置を提供できる。
【発明を実施するための最良の形態】
【００２１】
〔第１の実施形態〕
本発明を好適に実施した第１の実施形態について説明する。図１は、本実施形態に係るデジタルカメラの前方斜視図である。
図１に示すように、デジタルカメラ１は、正面から見て左側にグリップ部２があり、その上部にレリーズボタン部３が形成され、正面略中央には撮影レンズ４が取り付けられている。撮影レンズ４の周りには飾りリング５が取り付けられているマウント部１１、低照度での撮影の場合などに補助光を発するためのストロボ６がそれぞれ設けられている。カメラ１の上面には、カメラの各種モードを選択するための回転式スイッチからなるモードダイヤル７と、押しボタン式スイッチとしての電源スイッチ（メインスイッチ）８と、外部ストロボなどを取り付けるためのアクセサリシュー９が設けられている。また、カメラ１の下面には、メモリカードを装着可能なカードスロットと電池室とを覆う電池蓋１０が設けられている。
【００２２】
図２は、ワイドコンバージョンレンズ１３及びアダプタ１２が装着された状態でのデジタルカメラの前方斜視図である。飾りリング５が取り外され、アダプタ１２及びワイドコンバージョンレンズ１３が取り付けられている。アダプタ１２及び飾りリング５はマウント部１１に構成されたバヨネット突起及び溝によって回転させ係合し、ロック爪１４によって固定／解除される。
【００２３】
さらに、図３に、マウント部１１及びアダプタ１２の連結部分の構成を示す。
マウント部１１は、アダプタ１２及び飾りリング５が取り付け固定されるバヨネット突起及び溝（これらは公知構造を適用できるため説明は割愛）、アダプタ１２に取り付けられた光学レンズを検知するための凸部１６が摺動するガイド穴を有している。凸部１６を有する検知部材は、ワイドコンバージョンレンズ１３が取り付けられたアダプタ１２にネジ方式で取り付け固定され、ネジの深さによってアダプタ１２側の凸部材１５がシフトし、アダプタ１２をデジタルカメラ１に取り付けた際に、それに取り付けられた所定の光学レンズを検出可能とする。アダプタ１２をデジタルカメラ１のマウント部１１に回転取り付ける際に、ワイドコンバージョンレンズ１３がアダプタ１２に取り付けられている場合には、両凸部１５、１６が常時接触している（図４（ａ））。これは、凸部１５、１６のどちらか一方が、取り付け回転角以上の範囲で形成されていれば、取り付け回転角度内において、常時両凸部１５、１６が接触することが可能である。また、アダプタ１２のみをデジタルカメラ１のマウント部１１に取り付け、その後ワイドコンバージョンレンズ１３を取り付けた場合にも、アダプタ１２の凸部１５が光軸方向にシフトし、検知部材の凸部１６が押され、検出することが可能である（図４（ｂ））。ワイドコンバージョンレンズ１３が取り付けられていないアダプタ１２をデジタルカメラ１に取り付ける際には、検知部材の凸部１６とアダプタ１２側の凸部１５とは接触していない。
【００２４】
ここでは光学レンズの具体例としてワイドコンバージョンレンズ１３を挙げたが、テレ（望遠）、フィルタなどでも同様である。
【００２５】
〔第２の実施形態〕
本発明を好適に実施した第２の実施形態について説明する。図５に本実施形態に係るデジタルカメラのマウント部及びアダプタの連結部分の構成を示す。
アダプタ１２に取り付けられた光学レンズを複数検出する際、アダプタ１２側の凸部１５のストロークを変化させることによって、検出部材側の凸部１６のストロークも変化する。デジタルカメラ１の内部では、検出部材のストロークを検出スイッチ１７によって検知し、アダプタ１２に取り付けられた光学レンズを認識できる。
【００２６】
〔第３の実施形態〕
本発明を好適に実施した第３の実施形態について説明する。図６に、飾りリング５にレンズキャップ１８を装着した状態を示す。
図７に、レンズキャップ１８が装着された飾りリング５が取り付けられた状態でのマウント部分の断面を示す。飾りリング５は二つの部品で構成される。内側はモールド成形でマウント部１１に取り付けるための構造が形成されており、外側は高品位を達成するために金属で形成されているが、部品点数及び材質はこれに限定されるものではない。
飾りリング５には溝１９が形成され、レンズキャップ１８の爪を引っかけられるようになっている。その結果、取り外し可能な飾りリング５を着脱する際、レンズキャップ１８でレンズユニットを保護しながら操作することができる。
図８は、飾りリング５の斜視図である。溝１９には回転止めが設けられている。回転止めによって、レンズキャップ１８を回転させると飾りリング５も連動して回転し、飾りリング５とレンズキャップ１８との両方を一度の操作で着脱できる。
なお、図では溝１９の２カ所に回転止めを設けた構成を示しているが、数や形状はこれに限定されることはない。
【００２７】
なお、上記各実施形態は本発明の好適な実施の一例であり、本発明はこれに限定されることはない。
例えば、上記各実施形態においては、着脱構造を有する撮影装置としてデジタルスチルカメラを例としたが、本発明は銀塩カメラやビデオカメラなどの撮影装置一般に適用可能である。
このように、本発明は様々な変形が可能である。
【図面の簡単な説明】
【００２８】
【図１】本発明を好適に実施した第１の実施形態にかかるデジタルカメラの前方斜視図である。
【図２】ワイドコンバージョンレンズ及びアダプタが装着された状態でのデジタルカメラの前方斜視図である。
【図３】マウント部及びアダプタの連結部分の構成を示す図である。
【図４】光学レンズを検出する検出部の構成を示す図である。
【図５】本発明を好適に実施した第２の実施形態に係るデジタルカメラのマウント部及びアダプタの連結部分の構成を示す図である。
【図６】本発明を好適に実施した第３の実施形態にかかるデジタルカメラにレンズキャップが装着された装飾リングを取り付けた状態を示す前方斜視図である。
【図７】装飾リング及びレンズキャップの断面図である。
【図８】装飾リングの斜視図である。
【符号の説明】
【００２９】
１    デジタルカメラ
２    グリップ部
３    レリーズボタン部
４    撮影レンズ
５    装飾レンズ
６    ストロボ
７    モードダイヤル
８    電源スイッチ（メインスイッチ）
９    アクセサリシュー
１０    電池蓋
１１    マウント部
１２    アダプタ
１３    ワイドコンバージョンレンズ
１４    ロック爪
１５、１６    凸部
１７    検出スイッチ
１８    レンズキャップ
１９    溝
【図１】
2008175897.tif 000003
【図２】
2008175897.tif 000004
【図３】
2008175897.tif 000005
【図４】
2008175897.tif 000006
【図５】
2008175897.tif 000007
【図６】
2008175897.tif 000008
【図７】
2008175897.tif 000009
【図８】
2008175897.tif 000010